(57)【要約】【課題】演算のための負荷を軽減させながらも、フレーム反転駆動においてデータ信号線に沿った方向のクロストークが視認され難い表示を行うことができる駆動装置、表示装置及びその駆動方法を提供する。【解決手段】１水平期間を、所定の階調レベルに対応した表示信号電圧をデータ信号線へ供給する第一サブ水平期間Ｈｔ１と、前記所定の階調レベルの補数に対応した表示信号電圧をデータ信号線へ供給する第二サブ水平期間Ｈｔ２と、に時分割し、前記第一サブ水平期間Ｈｔ１に走査信号線へゲートオン電圧Ｖｇｈを供給するとともに、前記第二サブ水平期間Ｈｔ２に前記走査信号線へゲートオフ電圧Ｖｇｌを供給する。【選択図】      図３
2009271267.tif 000002
【特許請求の範囲】
【請求項１】
各フレームで１水平期間毎に互いに異なる走査信号線を順に選択する走査信号線駆動手段と、
前記走査信号線駆動手段により選択された走査信号線に対応させて表示信号電圧をデータ信号線に供給するデータ信号線駆動手段と、
前記１水平期間を第一サブ水平期間と第二サブ水平期間とに時分割する制御手段と、を備え、
前記データ信号線駆動手段は、前記第一サブ水平期間に所定の階調レベルに対応した表示信号電圧を前記データ信号線へ供給し、前記第二サブ水平期間に前記所定の階調レベルよりも前記所定の階調レベルの補数に近い側の階調レベルに対応した表示信号電圧を前記データ信号線へ供給し、
前記走査信号線駆動手段は、前記第一サブ水平期間に前記選択した走査信号線にゲートオン電圧を供給することを特徴とする駆動装置。
【請求項２】
各フレームで１水平期間毎に互いに異なる走査信号線を順に選択する走査信号線駆動手段と、
前記走査信号線駆動手段により選択された走査信号線に対応させて表示信号電圧をデータ信号線に供給するデータ信号線駆動手段と、
前記１水平期間を第一サブ水平期間と第二サブ水平期間とに時分割する制御手段と、を備え、
前記データ信号線駆動手段は、前記第一サブ水平期間に所定の階調レベルに対応した表示信号電圧を前記データ信号線へ供給し、前記第二サブ水平期間に前記所定の階調レベルの補数に対応した表示信号電圧を前記データ信号線へ供給し、
前記走査信号線駆動手段は、前記第一サブ水平期間に前記選択した走査信号線にゲートオン電圧を供給することを特徴とする駆動装置。
【請求項３】
前記走査信号線駆動手段は、前記第二サブ水平期間に前記各走査信号線にゲートオフ電圧を供給することを特徴とする請求項２に記載の駆動装置。
【請求項４】
前記第一サブ水平期間と前記第二サブ水平期間とが等しい長さの時間であることを特徴とする請求項２または３に記載の駆動装置。
【請求項５】
前記制御手段は、前記第一サブ水平期間の後に前記第二サブ水平期間がくるように前記１水平期間を時分割することを特徴とする請求項２から４の何れかに記載の駆動装置。
【請求項６】
前記制御手段は、前記第二サブ水平期間の後に前記第一サブ水平期間がくるように前記１水平期間を時分割することを特徴とする請求項２から４の何れかに記載の駆動装置。
【請求項７】
前記データ信号線駆動手段は、１フレーム毎に液晶に印加される電圧の極性が反転するとともに、前段側の走査信号線に対応する液晶に印加される電圧の極性と当該走査信号線に対応する液晶に印加される電圧の極性とが等しくなるように、前記データ信号線に表示信号電圧を供給することを特徴とする請求項２から６の何れかに記載の駆動装置。
【請求項８】
各フレームで１水平期間毎に互いに異なる走査信号線を順に選択する走査信号線駆動手段と、
前記走査信号線駆動手段により選択された走査信号線に対応させて表示信号電圧をデータ信号線に供給するデータ信号線駆動手段と、
前記１水平期間を第一サブ水平期間と第二サブ水平期間とに時分割する制御手段と、を備え、
前記データ信号線駆動手段は、
前記第一サブ水平期間に所定の階調レベルに対応した表示信号電圧を前記データ信号線へ供給し、
液晶に印加される電圧の極性を正極性にするフレームのときには、前記第二サブ水平期間に最大階調レベルに対応した表示信号電圧を前記データ信号線へ供給し、液晶に印加される電圧の極性を負極性にするフレームのときには、前記第二サブ水平期間に最小階調レベルに対応した表示信号電圧を前記データ信号線へ供給し、
前記走査信号線駆動手段は、
前記第一サブ水平期間に前記選択した走査信号線にゲートオン電圧を供給することを特徴とする駆動装置。
【請求項９】
各フレームで１水平期間毎に互いに異なる走査信号線を順に選択する走査信号線駆動手段と、
前記走査信号線駆動手段により選択された走査信号線に対応させて表示信号電圧をデータ信号線に供給するデータ信号線駆動手段と、
前記１水平期間を第一サブ水平期間と第二サブ水平期間とに時分割する制御手段と、を備え、
前記データ信号線駆動手段は、
前記第一サブ水平期間に所定の階調レベルに対応した表示信号電圧を前記データ信号線へ供給し、
液晶に印加される電圧の極性を正極性にするフレームのときには、前記第二サブ水平期間に最小階調レベルに対応した表示信号電圧を前記データ信号線へ供給し、液晶に印加される電圧の極性を負極性にするフレームのときには前記第二サブ水平期間に最大階調レベルに対応した表示信号電圧を前記データ信号線へ供給し、
前記走査信号線駆動手段は、
前記第一サブ水平期間に前記選択した走査信号線にゲートオン電圧を供給することを特徴とする駆動装置。
【請求項１０】
互いに平行な複数の走査信号線と前記各走査信号線に交差するデータ信号線とが形成された表示パネルと、
各フレームで１水平期間毎に互いに異なる前記走査信号線を順に選択する走査信号線駆動手段と、
前記走査信号線駆動手段により選択された走査信号線に対応させて表示信号電圧を前記データ信号線に供給するデータ信号線駆動手段と、
前記１水平期間を第一サブ水平期間と第二サブ水平期間とに時分割する制御手段と、を備え、
前記データ信号線駆動手段は、前記第一サブ水平期間に所定の階調レベルに対応した表示信号電圧を前記データ信号線へ供給し、前記第二サブ水平期間に前記所定の階調レベルよりも前記所定の階調レベルの補数に近い側の階調レベルに対応した表示信号電圧を前記データ信号線へ供給し、
前記走査信号線駆動手段は、前記第一サブ水平期間に前記選択した走査信号線にゲートオン電圧を供給することを特徴とする表示装置。
【請求項１１】
互いに平行な複数の走査信号線と前記各走査信号線に交差するデータ信号線とが形成された表示パネルと、
各フレームで１水平期間毎に互いに異なる前記走査信号線を順に選択する走査信号線駆動手段と、
前記走査信号線駆動手段により選択された走査信号線に対応させて表示信号電圧を前記データ信号線に供給するデータ信号線駆動手段と、
前記１水平期間を第一サブ水平期間と第二サブ水平期間とに時分割する制御手段と、を備え、
前記データ信号線駆動手段は、前記第一サブ水平期間に所定の階調レベルに対応した表示信号電圧を前記データ信号線へ供給し、前記第二サブ水平期間に前記所定の階調レベルの補数に対応した表示信号電圧を前記データ信号線へ供給し、
前記走査信号線駆動手段は、前記第一サブ水平期間に前記選択した走査信号線にゲートオン電圧を供給することを特徴とする表示装置。
【請求項１２】
前記走査信号線駆動手段は、前記第二サブ水平期間に前記各走査信号線にゲートオフ電圧を供給することを特徴とする請求項１１に記載の表示装置。
【請求項１３】
前記第一サブ水平期間と前記第二サブ水平期間とが等しい長さの時間であることを特徴とする請求項１１または１２に記載の表示装置。
【請求項１４】
前記制御手段は、前記第一サブ水平期間の後に前記第二サブ水平期間がくるように前記１水平期間を時分割することを特徴とする請求項１１から１３の何れかに記載の表示装置。
【請求項１５】
前記制御手段は、前記第二サブ水平期間の後に前記第一サブ水平期間がくるように前記１水平期間を時分割することを特徴とする請求項１１から１３の何れかに記載の表示装置。
【請求項１６】
前記データ信号線駆動手段は、１フレーム毎に液晶に印加される電圧の極性が反転するとともに、前段側の走査信号線に対応する液晶に印加される電圧の極性と当該走査信号線に対応する液晶に印加される電圧の極性とが等しくなるように、前記データ信号線に表示信号電圧を供給することを特徴とする請求項１１から１５の何れかに表示装置。
【請求項１７】
互いに平行な複数の走査信号線と前記各走査信号線に交差するデータ信号線とが形成された表示パネルと、
各フレームで１水平期間毎に互いに異なる前記走査信号線を順に選択する走査信号線駆動手段と、
前記走査信号線駆動手段により選択された走査信号線に対応させて表示信号電圧を前記データ信号線に供給するデータ信号線駆動手段と、
前記１水平期間を第一サブ水平期間と第二サブ水平期間とに時分割する制御手段と、を備え、
前記データ信号線駆動手段は、
前記第一サブ水平期間に所定の階調レベルに対応した表示信号電圧を前記データ信号線へ供給し、
液晶に印加される電圧の極性を正極性にするフレームのときには、前記第二サブ水平期間に最大階調レベルに対応した表示信号電圧を前記データ信号線へ供給し、液晶に印加される電圧の極性を負極性にするフレームのときには、前記第二サブ水平期間に最小階調レベルに対応した表示信号電圧を前記データ信号線へ供給し、
前記走査信号線駆動手段は、
前記第一サブ水平期間に前記選択した走査信号線にゲートオン電圧を供給することを特徴とする表示装置。
【請求項１８】
互いに平行な複数の走査信号線と前記各走査信号線に交差するデータ信号線とが形成された表示パネルと、
各フレームで１水平期間毎に互いに異なる前記走査信号線を順に選択する走査信号線駆動手段と、
前記走査信号線駆動手段により選択された走査信号線に対応させて表示信号電圧を前記データ信号線に供給するデータ信号線駆動手段と、
前記１水平期間を第一サブ水平期間と第二サブ水平期間とに時分割する制御手段と、を備え、
前記データ信号線駆動手段は、
前記第一サブ水平期間に所定の階調レベルに対応した表示信号電圧を前記データ信号線へ供給し、
液晶に印加される電圧の極性を正極性にするフレームのときには、前記第二サブ水平期間に最大階調レベルに対応した表示信号電圧を前記データ信号線へ供給し、液晶に印加される電圧の極性を負極性にするフレームのときには、前記第二サブ水平期間に最小階調レベルに対応した表示信号電圧を前記データ信号線へ供給し、
前記走査信号線駆動手段は、
前記第一サブ水平期間に前記選択した走査信号線にゲートオン電圧を供給することを特徴とする表示装置。
【請求項１９】
１水平期間を、所定の階調レベルに対応した表示信号電圧をデータ信号線へ供給する第一サブ水平期間と、前記所定の階調レベルよりも前記所定の階調レベルの補数に近い側の階調レベルに対応した表示信号電圧をデータ信号線へ供給する第二サブ水平期間と、に時分割し、
前記第一サブ水平期間に走査信号線へゲートオン電圧を供給するとともに、前記第二サブ水平期間に前記走査信号線へゲートオフ電圧を供給することを特徴とする表示装置の駆動方法。
【請求項２０】
１水平期間を、所定の階調レベルに対応した表示信号電圧をデータ信号線へ供給する第一サブ水平期間と、前記所定の階調レベルの補数に対応した表示信号電圧をデータ信号線へ供給する第二サブ水平期間と、に時分割し、
前記第一サブ水平期間に走査信号線へゲートオン電圧を供給するとともに、前記第二サブ水平期間に前記走査信号線へゲートオフ電圧を供給することを特徴とする表示装置の駆動方法。
【請求項２１】
前記第一サブ水平期間と前記第二サブ水平期間とが等しい長さの時間であることを特徴とする請求項２０に記載の表示装置の駆動方法。
【請求項２２】
１フレーム毎に液晶に印加される電圧の極性が反転するとともに、前段側の走査信号線に対応する液晶に印加される電圧の極性と当該走査信号線に対応する液晶に印加される電圧の極性とが等しくなるように、前記データ信号線に表示信号電圧を供給することを特徴とする請求項２０または２１に記載の表示装置の駆動方法。
【請求項２３】
１水平期間を、入力された階調レベルに対応した表示信号電圧をデータ信号線へ供給する第一サブ水平期間と、予め定められた表示信号電圧をデータ信号線へ供給する第二サブ水平期間と、に時分割し、
前記第一サブ水平期間に走査信号線へゲートオン電圧を供給するとともに、前記第二サブ水平期間に前記走査信号線へゲートオフ電圧を供給することを特徴とする表示装置の駆動方法。
【発明の詳細な説明】
【技術分野】
【０００１】
本発明は、各フレームで１水平期間毎に互いに異なる走査信号線を順に選択する駆動装置、表示装置及びその駆動方法に関する。
【背景技術】
【０００２】
液晶表示装置に用いられるドットマトリクス方式の表示パネルとして、単純マトリクス方式の表示パネルとアクティブマトリクス方式の表示パネルとが知られている。このうち、アクティブマトリクス方式の表示パネルは、表示パネル上に複数の走査信号線と複数のデータ信号線とがそれぞれ直交するように配置され、これら走査信号線とデータ信号線との交点近傍には薄膜トランジスタ（Thin Film Transistor：以下、ＴＦＴと記す）を介して画素電極が配置されている。また、画素電極に対向するように共通電極が配置され、画素電極と共通電極との間に液晶を充填することで表示画素を構成している。そして、走査信号線を介して入力された走査信号電圧によって選択状態とされた表示画素にデータ信号線から表示信号電圧を印加する。また、共通電極には共通信号電圧を印加する。このとき、表示画素を構成する液晶には表示信号電圧と共通信号電圧との差に相当する電圧が印加され、これによって、液晶の配向状態を変化させて表示を行うようにしている。
【０００３】
ここで、長寿命化等の理由で、液晶の駆動には交流駆動が必須である。この交流駆動の手法として、例えば図１１に示すような、液晶に印加される電圧Ｖｌｃｄの極性をフレーム毎に反転させるフレーム反転駆動が知られている。
【０００４】
アクティブマトリクス方式の表示パネルでは、当該表示画素に対応する走査信号線が非選択期間においても、当該表示画素に対応するデータ信号線での表示信号電圧が他の走査信号線に対応する表示画素で必要となる表示信号電圧に応じて変動する。フレーム反転駆動の場合、このようにデータ信号線で表示信号電圧が変動すると当該表示画素の画素電極とそれに対応するデータ信号線との間に生じる容量カップリング（Ｃｄｓ）の影響による表示画素の電位変化が、データ信号線に沿った方向へのクロストークとして表示に現れてしまい、表示品位が劣化するという問題があった。
【０００５】
例えば、電圧印加時に白を表示し電圧無印加時に黒を表示するノーマリブラックモードとし、画面最上部から当該フレームでの走査信号線の走査を開始するとともに（画面最下部での走査から画面最上部での走査までの間に印加電圧の極性を変化させるとともに）画面最上部の走査信号線から画面最下部の走査信号線に向かって順次走査信号線を選択する場合、図１２（ａ）に示すように、グレー表示（中間階調レベルでの表示）の背景領域２００に対して黒ウインド２０１を表示しようとしたときに、図１２（ｂ）に示すように、黒ウインド２０１に対応する走査信号線を走査中に、黒ウインド２０１の上部側の背景領域２００ａでは、本来の中間階調よりも黒寄りになる縦クロストークが発生するとともに、黒ウインド２０１の下部側の背景領域２００ａでは、本来の中間階調よりも白寄りになる縦クロストークが発生する。
【０００６】
そこで、特許文献１では、各フレーム間での映像データ（画像データ）に基づいて当該フレームにおける映像データを補正することによってクロストークの発生を低減することが行われている。つまり、第Ｌ行を選択して次に第Ｌ行を選択するまでの間に第Ｌ行と同極性で駆動される各行の映像データから、第Ｌ行の映像データの値を減算し、減算した後の、第Ｌ行と同極性で駆動される各行の映像データの和（Ａとする）を求める。また、第Ｌ行を選択して次に第Ｌ行を選択するまでの間に第Ｌ行と異なる極性で駆動される各行の映像データから、第Ｌ行の映像データの値を減算し、減算した後の、第Ｌ行と異なる極性で駆動される各行の映像データの和（Ｂとする）を求める。そして、Ａ，Ｂを用いて第Ｌ行の映像データを補正して表示を行う。
【０００７】
【特許文献１】特開２００５−７７５０８
【発明の開示】
【発明が解決しようとする課題】
【０００８】
しかし上述のような従来技術では、行毎に映像データを補正するための演算式が異なるため、映像データを補正するための演算が複雑になるとともにその演算量が膨大になり、制御部における演算のための負荷が大きくなることが問題となっていた。
【０００９】
本発明は、上記の事情に鑑みてなされたもので、演算のための負荷を軽減させながらも、フレーム反転駆動においてデータ信号線に沿った方向のクロストークが視認され難い表示を行うことができる駆動装置、表示装置及びその駆動方法を提供することを目的とする。
【課題を解決するための手段】
【００１０】
上記の目的を達成するために、請求項１に記載の駆動装置は、各フレームで１水平期間毎に互いに異なる走査信号線を順に選択する走査信号線駆動手段と、前記走査信号線駆動手段により選択された走査信号線に対応させて表示信号電圧をデータ信号線に供給するデータ信号線駆動手段と、前記１水平期間を第一サブ水平期間と第二サブ水平期間とに時分割する制御手段と、を備え、前記データ信号線駆動手段は、前記第一サブ水平期間に所定の階調レベルに対応した表示信号電圧を前記データ信号線へ供給し、前記第二サブ水平期間に前記所定の階調レベルよりも前記所定の階調レベルの補数に近い側の階調レベルに対応した表示信号電圧を前記データ信号線へ供給し、前記走査信号線駆動手段は、前記第一サブ水平期間に前記選択した走査信号線にゲートオン電圧を供給することを特徴とする。
【００１１】
また、請求項２に記載の駆動装置は、各フレームで１水平期間毎に互いに異なる走査信号線を順に選択する走査信号線駆動手段と、前記走査信号線駆動手段により選択された走査信号線に対応させて表示信号電圧をデータ信号線に供給するデータ信号線駆動手段と、前記１水平期間を第一サブ水平期間と第二サブ水平期間とに時分割する制御手段と、を備え、前記データ信号線駆動手段は、前記第一サブ水平期間に所定の階調レベルに対応した表示信号電圧を前記データ信号線へ供給し、前記第二サブ水平期間に前記所定の階調レベルの補数に対応した表示信号電圧を前記データ信号線へ供給し、前記走査信号線駆動手段は、前記第一サブ水平期間に前記選択した走査信号線にゲートオン電圧を供給することを特徴とする。
また、請求項３に記載の駆動装置は、請求項２に記載の駆動装置において、前記走査信号線駆動手段は、前記第二サブ水平期間に前記各走査信号線にゲートオフ電圧を供給することを特徴とする。
また、請求項４に記載の駆動装置は、請求項２または３に記載の駆動装置において、前記第一サブ水平期間と前記第二サブ水平期間とが等しい長さの時間であることを特徴とする。
また、請求項５に記載の駆動装置は、請求項２から４の何れかに記載の駆動装置において、前記制御手段は、前記第一サブ水平期間の後に前記第二サブ水平期間がくるように前記１水平期間を時分割することを特徴とする。
また、請求項６に記載の駆動装置は、請求項２から４の何れかに記載の駆動装置において、前記制御手段は、前記第二サブ水平期間の後に前記第一サブ水平期間がくるように前記１水平期間を時分割することを特徴とする。
また、請求項７に記載の駆動装置は、請求項２から６の何れかに記載の駆動装置において、前記データ信号線駆動手段は、１フレーム毎に液晶に印加される電圧の極性が反転するとともに、前段側の走査信号線に対応する液晶に印加される電圧の極性と当該走査信号線に対応する液晶に印加される電圧の極性とが等しくなるように、前記データ信号線に表示信号電圧を供給することを特徴とする。
【００１２】
また、請求項８に記載の駆動装置は、各フレームで１水平期間毎に互いに異なる走査信号線を順に選択する走査信号線駆動手段と、前記走査信号線駆動手段により選択された走査信号線に対応させて表示信号電圧をデータ信号線に供給するデータ信号線駆動手段と、前記１水平期間を第一サブ水平期間と第二サブ水平期間とに時分割する制御手段と、を備え、前記データ信号線駆動手段は、前記第一サブ水平期間に所定の階調レベルに対応した表示信号電圧を前記データ信号線へ供給し、液晶に印加される電圧の極性を正極性にするフレームのときには、前記第二サブ水平期間に最大階調レベルに対応した表示信号電圧を前記データ信号線へ供給し、液晶に印加される電圧の極性を負極性にするフレームのときには、前記第二サブ水平期間に最小階調レベルに対応した表示信号電圧を前記データ信号線へ供給し、前記走査信号線駆動手段は、前記第一サブ水平期間に前記選択した走査信号線にゲートオン電圧を供給することを特徴とする。
【００１３】
また、請求項９に記載の駆動装置は、各フレームで１水平期間毎に互いに異なる走査信号線を順に選択する走査信号線駆動手段と、前記走査信号線駆動手段により選択された走査信号線に対応させて表示信号電圧をデータ信号線に供給するデータ信号線駆動手段と、前記１水平期間を第一サブ水平期間と第二サブ水平期間とに時分割する制御手段と、を備え、前記データ信号線駆動手段は、前記第一サブ水平期間に所定の階調レベルに対応した表示信号電圧を前記データ信号線へ供給し、液晶に印加される電圧の極性を正極性にするフレームのときには、前記第二サブ水平期間に最小階調レベルに対応した表示信号電圧を前記データ信号線へ供給し、液晶に印加される電圧の極性を負極性にするフレームのときには前記第二サブ水平期間に最大階調レベルに対応した表示信号電圧を前記データ信号線へ供給し、前記走査信号線駆動手段は、前記第一サブ水平期間に前記選択した走査信号線にゲートオン電圧を供給することを特徴とする。
【００１４】
また、請求項１０に記載の表示装置は、互いに平行な複数の走査信号線と前記各走査信号線に交差するデータ信号線とが形成された表示パネルと、各フレームで１水平期間毎に互いに異なる前記走査信号線を順に選択する走査信号線駆動手段と、前記走査信号線駆動手段により選択された走査信号線に対応させて表示信号電圧を前記データ信号線に供給するデータ信号線駆動手段と、前記１水平期間を第一サブ水平期間と第二サブ水平期間とに時分割する制御手段と、を備え、前記データ信号線駆動手段は、前記第一サブ水平期間に所定の階調レベルに対応した表示信号電圧を前記データ信号線へ供給し、前記第二サブ水平期間に前記所定の階調レベルよりも前記所定の階調レベルの補数に近い側の階調レベルに対応した表示信号電圧を前記データ信号線へ供給し、前記走査信号線駆動手段は、前記第一サブ水平期間に前記選択した走査信号線にゲートオン電圧を供給することを特徴とする。
【００１５】
また、請求項１１に記載の表示装置は、互いに平行な複数の走査信号線と前記各走査信号線に交差するデータ信号線とが形成された表示パネルと、各フレームで１水平期間毎に互いに異なる前記走査信号線を順に選択する走査信号線駆動手段と、前記走査信号線駆動手段により選択された走査信号線に対応させて表示信号電圧を前記データ信号線に供給するデータ信号線駆動手段と、前記１水平期間を第一サブ水平期間と第二サブ水平期間とに時分割する制御手段と、を備え、前記データ信号線駆動手段は、前記第一サブ水平期間に所定の階調レベルに対応した表示信号電圧を前記データ信号線へ供給し、前記第二サブ水平期間に前記所定の階調レベルの補数に対応した表示信号電圧を前記データ信号線へ供給し、前記走査信号線駆動手段は、前記第一サブ水平期間に前記選択した走査信号線にゲートオン電圧を供給することを特徴とする。
また、請求項１２に記載の表示装置は、請求項１１に記載の表示装置において、前記走査信号線駆動手段は、前記第二サブ水平期間に前記各走査信号線にゲートオフ電圧を供給することを特徴とする。
また、請求項１３に記載の表示装置は、請求項１１または１２に記載の表示装置において、前記第一サブ水平期間と前記第二サブ水平期間とが等しい長さの時間であることを特徴とする。
また、請求項１４に記載の表示装置は、請求項１１から１３の何れかに記載の表示装置において、前記制御手段は、前記第一サブ水平期間の後に前記第二サブ水平期間がくるように前記１水平期間を時分割することを特徴とする。
また、請求項１５に記載の表示装置は、請求項１１から１３の何れかに記載の表示装置において、前記制御手段は、前記第二サブ水平期間の後に前記第一サブ水平期間がくるように前記１水平期間を時分割することを特徴とする。
また、請求項１６に記載の表示装置は、請求項１１から１５の何れかに記載の表示装置において、前記データ信号線駆動手段は、１フレーム毎に液晶に印加される電圧の極性が反転するとともに、前段側の走査信号線に対応する液晶に印加される電圧の極性と当該走査信号線に対応する液晶に印加される電圧の極性とが等しくなるように、前記データ信号線に表示信号電圧を供給することを特徴とする。
【００１６】
また、請求項１７に記載の表示装置は、互いに平行な複数の走査信号線と前記各走査信号線に交差するデータ信号線とが形成された表示パネルと、各フレームで１水平期間毎に互いに異なる前記走査信号線を順に選択する走査信号線駆動手段と、前記走査信号線駆動手段により選択された走査信号線に対応させて表示信号電圧を前記データ信号線に供給するデータ信号線駆動手段と、前記１水平期間を第一サブ水平期間と第二サブ水平期間とに時分割する制御手段と、を備え、前記データ信号線駆動手段は、前記第一サブ水平期間に所定の階調レベルに対応した表示信号電圧を前記データ信号線へ供給し、液晶に印加される電圧の極性を正極性にするフレームのときには、前記第二サブ水平期間に最大階調レベルに対応した表示信号電圧を前記データ信号線へ供給し、液晶に印加される電圧の極性を負極性にするフレームのときには、前記第二サブ水平期間に最小階調レベルに対応した表示信号電圧を前記データ信号線へ供給し、前記走査信号線駆動手段は、前記第一サブ水平期間に前記選択した走査信号線にゲートオン電圧を供給することを特徴とする。
【００１７】
また、請求項１８に記載の表示装置は、互いに平行な複数の走査信号線と前記各走査信号線に交差するデータ信号線とが形成された表示パネルと、各フレームで１水平期間毎に互いに異なる前記走査信号線を順に選択する走査信号線駆動手段と、前記走査信号線駆動手段により選択された走査信号線に対応させて表示信号電圧を前記データ信号線に供給するデータ信号線駆動手段と、前記１水平期間を第一サブ水平期間と第二サブ水平期間とに時分割する制御手段と、を備え、前記データ信号線駆動手段は、前記第一サブ水平期間に所定の階調レベルに対応した表示信号電圧を前記データ信号線へ供給し、液晶に印加される電圧の極性を正極性にするフレームのときには、前記第二サブ水平期間に最大階調レベルに対応した表示信号電圧を前記データ信号線へ供給し、液晶に印加される電圧の極性を負極性にするフレームのときには、前記第二サブ水平期間に最小階調レベルに対応した表示信号電圧を前記データ信号線へ供給し、前記走査信号線駆動手段は、前記第一サブ水平期間に前記選択した走査信号線にゲートオン電圧を供給することを特徴とする。
【００１８】
また、請求項１９に記載の表示装置の駆動方法は、１水平期間を、所定の階調レベルに対応した表示信号電圧をデータ信号線へ供給する第一サブ水平期間と、前記所定の階調レベルよりも前記所定の階調レベルの補数に近い側の階調レベルに対応した表示信号電圧をデータ信号線へ供給する第二サブ水平期間と、に時分割し、前記第一サブ水平期間に走査信号線へゲートオン電圧を供給するとともに、前記第二サブ水平期間に前記走査信号線へゲートオフ電圧を供給することを特徴とする。
【００１９】
また、請求項２０に記載の表示装置の駆動方法は、１水平期間を、所定の階調レベルに対応した表示信号電圧をデータ信号線へ供給する第一サブ水平期間と、前記所定の階調レベルの補数に対応した表示信号電圧をデータ信号線へ供給する第二サブ水平期間と、に時分割し、前記第一サブ水平期間に走査信号線へゲートオン電圧を供給するとともに、前記第二サブ水平期間に前記走査信号線へゲートオフ電圧を供給することを特徴とする。
また、請求項２１に記載の表示装置の駆動方法は、請求項２０に記載の表示装置の駆動方法において、前記第一サブ水平期間と前記第二サブ水平期間とが等しい長さの時間であることを特徴とする。
また、請求項２２に記載の表示装置の駆動方法は、請求項２０または２１に記載の表示装置の駆動方法において、１フレーム毎に液晶に印加される電圧の極性が反転するとともに、前段側の走査信号線に対応する液晶に印加される電圧の極性と当該走査信号線に対応する液晶に印加される電圧の極性とが等しくなるように、前記データ信号線に表示信号電圧を供給することを特徴とする。
【００２０】
また、請求項２３に記載の表示装置の駆動方法は、１水平期間を、入力された階調レベルに対応した表示信号電圧をデータ信号線へ供給する第一サブ水平期間と、予め定められた表示信号電圧をデータ信号線へ供給する第二サブ水平期間と、に時分割し、前記第一サブ水平期間に走査信号線へゲートオン電圧を供給するとともに、前記第二サブ水平期間に前記走査信号線へゲートオフ電圧を供給することを特徴とする。
【発明の効果】
【００２１】
本発明によれば、演算のための負荷を軽減させながらも、フレーム反転駆動においてデータ信号線に沿った方向のクロストークが視認され難い表示を行うことができる。
【発明を実施するための最良の形態】
【００２２】
以下、本発明を実施するための形態を、図面を参照して説明する。
【００２３】
本発明に係る表示装置１の概略全体構成は図１に示すように、例えば映像メモリ２０に記憶されている映像データに基づく映像が表示される表示パネル１０と、表示パネル１０の走査信号線を走査するための走査ドライバ１１と、表示パネル１０のデータ信号線に表示信号電圧を供給するための信号ドライバ１２と、表示パネル１０の共通電極にコモン信号を供給する共通電極駆動回路１３と、表示パネル１０に所望の映像が表示されるように走査ドライバ１１や信号ドライバ１２、共通信号駆動回路１３を制御する制御部１４と、供給される電源Ｖｃｃを駆動に必要な電圧に調整して各部に供給する電源調整回路１５等を有している。なお、映像メモリ２０には、例えば外部から外部信号として入力されてくる映像データが記憶される。
【００２４】
表示パネル１０は、対向配置され、シール材１５により接着された２枚の基板間１６、１７に液晶が挟持された構成となっている。そして、一方の基板１６に、行方向に延伸配設された複数の走査信号線（例えばｎ本の走査信号線）と、列方向に延伸配設された複数のデータ信号線（例えばｍ本のデータ信号線）とを備え、走査信号線とデータ信号線との各交点近傍に図４に示す表示画素が設けられて構成されている。ここで図２は、表示パネル１０に設けられる複数の表示画素の内の１つの表示画素に対応する等価回路を示す図である。
【００２５】
図２に示す走査信号線Ｇ（ｊ）には薄膜トランジスタ（ＴＦＴ）１１１のゲート電極が接続され、データ信号線Ｓ（ｉ）にはＴＦＴ１１１のソース電極が接続されている。更に、ＴＦＴ１１１のドレイン電極には画素電極が接続されている。そして、画素電極と対向するように、他方の基板１７に共通電極１８が配され、画素電極と共通電極１８との間に液晶が充填されている。さらに、このようにして構成される液晶容量Ｃｌｃｄと並列になるように蓄積容量Ｃｃｓが接続されている。このような構成において、画素電極と共通電極との間に電圧が印加されると、この電圧に応じて画素電極と共通電極との間に充填された液晶の配向状態が変化して液晶層中における光の透過率が変化する。これにより、図２に示す表示画素の背面に配置された図示しない光源（バックライト）からの光の透過状態が変化して映像表示が行われる。なお、図２には画素電極とデータ信号線間に発生する寄生容量Ｃｄｓも示している。ここで、ｉ＝１，２，３，・・・，ｍ。ｊ＝１，２，３，・・・，ｎ。
【００２６】
走査ドライバ１１は、図２の走査信号線Ｇ（ｊ）が接続され、制御部１４から出力される垂直制御信号Ｖｓに基づいて各フレームにおける走査信号線Ｇ（ｊ）の走査を開始するとともに、制御部１４から出力される水平制御信号Ｈｓ及び時分割制御信号Ｔｓに基づいて各走査信号線Ｇ（ｊ）を個別に選択状態にする。
【００２７】
以下、説明を簡略化するために走査信号線の本数ｎを８本として具体的に説明するが、この本数に限定するものではない。走査ドライバ１１は、図３に示すように、制御部１４から出力される垂直制御信号Ｖｓが入力されると、当該フレームにおける走査信号線Ｇ（ｊ）の走査を開始する。そして、水平制御信号Ｈｓに基づいて前段側の走査信号線Ｇ（１）から後段側の走査信号線Ｇ（８）に向かって順に走査信号線Ｇ（ｊ）を選択する。さらに、走査ドライバ１１は、時分割制御信号Ｔｓに基づいて選択された走査信号線の走査信号を、ＴＦＴをオフ状態にさせるゲートオフ電圧ＶｇｌからＴＦＴをオン状態にさせるゲートオン電圧Ｖｇｈへ切り換える。即ち、制御部１４は、当該制御部１４が水平制御信号Ｈｓによって規定する１水平期間を時分割制御信号Ｔｓにより第一サブ水平期間Ｈｔ１と第二サブ水平期間Ｈｔ２とに時分割する。そして、当該選択している走査信号線に対して走査ドライバ１１がこの時分割された第一サブ水平期間Ｈｔ１にゲートオン電圧Ｖｇｈを供給するとともに第二サブ水平期間Ｈｔ２にゲートオフ電圧Ｖｇｌを供給する。なお、制御部１４は、第一サブ水平期間Ｈｔ１と第二サブ水平期間Ｈｔ２とが等しい長さの時間となるように時分割制御信号Ｔｓによって１水平期間を時分割することが好ましい。
【００２８】
共通電極駆動回路１３は、制御部１４から出力される極性反転信号Ｐｏｌに基づいて共通電極１８に共通信号Ｖｃｏｍを供給するもので、図６に示すように、極性反転信号Ｐｏｌがハイレベルのときに液晶に印加される電圧が正極性になるように第一の共通電圧Ｖｃｌを印加し、極性反転信号ＰｏｌがローレベルＶｐｌのときに液晶に印加される電圧が負極性になるように第二の共通電圧Ｖｃｈを印加する。
【００２９】
信号ドライバ１２は、制御部１４から出力される垂直同期信号Ｖｓ、水平同期信号Ｈｓ、時分割制御信号Ｔｓ、映像データＤａｔａ、基準クロック信号ＣＬＫ、及び極性反転信号Ｐｏｌに基づいて、表示パネル１０に設けられた各データ信号線Ｓ（ｉ）に対して、各データ信号線Ｓ（ｉ）に対応する表示信号電圧を図３に示すように所定のタイミングで出力するものである。
【００３０】
信号ドライバ１２の機能ブロック構成は、図４に示すように、サンプリングメモリ１２１、データラッチ部１２２、Ｄ／Ａ変換回路（ＤＡＣ）１２３、及び表示信号電圧生成回路１２４からなる。
【００３１】
サンプリングメモリ１２１は、制御部１４から出力される水平同期信号Ｈｓ及び基準クロック信号ＣＬＫに同期して、走査信号線一本分の表示画素に対応する画素データ（１水平期間分の画素データ）単位で、各表示画素に対応する画素データを前段側の走査信号線に対応するものから順に、画像メモリ２０に記憶された映像データから取り込むためのものであり、データ信号線Ｓ（ｉ）の数と同数のデータ格納領域を備えている。つまり、サンプリングメモリ１２１は、走査信号線毎に当該走査信号線に対応した画素データを取り込むとともに、当該取り込んだ画素データのそれぞれを、対応するデータ信号線Ｓ（ｉ）のデータ格納領域に格納する。ここで、画素データには、各表示画素に表示すべき階調レベル情報が含まれ、この階調レベル情報は、表示画素毎に例えば８ビットのデジタルデータとして表される。そして、各データ格納領域には、この８ビットのデジタルデータが格納される。
【００３２】
サンプリングメモリ１２１が取り込んだ１水平期間分の画素データは、後段のデータラッチ部１２２からの要求にしたがって、サンプリングメモリ１２１からデータラッチ部１２２に転送される。データラッチ部１２２に画素データが転送されると、サンプリングメモリ１２１は、次の１水平期間分の画素データとして次の行の走査信号線に対応した画素データの取り込み状態に移る。これは、水平同期信号Ｈｓに同期して行われる。
【００３３】
データラッチ部１２２は、水平同期信号Ｈｓに基づいて、サンプリングメモリ１２１から１水平期間分の画素データを一斉に取得するとともに、取得した画素データを後段のＤ／Ａ変換回路１２３に出力する。
【００３４】
Ｄ／Ａ変換回路１２３は、複数のＤＡＣ部１２５及び出力アンプ回路１２６で構成され、ＤＡＣ部１２５により表示信号電圧生成回路１２４から供給される表示信号電圧が選択されることで、データラッチ部１２２から出力されてくるそれぞれの画素データが、対応するアナログ信号としての表示信号電圧に変換され、出力アンプ回路１２６によりデータ信号線Ｓ（ｉ）へ出力される。このとき、Ｄ／Ａ変換回路１２３は、第一サブ水平期間Ｈｔ１のときには画素データが示す階調レベルに対応する表示信号電圧に変換して出力し、第二サブ水平期間Ｈｔ２のときには画素データが示す階調レベルと図５に示すような補数の関係にある階調レベルに対応する表示信号電圧に変換して出力する（詳細は後述）。即ち、画素データが示す階調レベルと補数の関係にある階調レベルは、最大階調レベルと画素データが示す階調レベルとの差分値である。
【００３５】
また、Ｄ／Ａ変換回路１２３は、制御部１４から出力される極性反転信号Ｐｏｌに対応するように、データラッチ部１２２から出力されたデジタル形式の画素データをアナログ電圧としての表示信号電圧に変換する。具体的には、Ｄ／Ａ変換回路１２３は、極性反転信号ＰｏｌがハイレベルＶｐｈであれば、データラッチ部１２２から出力された画素データが正極性の表示信号電圧になるようにＤ／Ａ変換し、極性反転信号ＰｏｌがローレベルＶｐｌであれば、データラッチ部１２２から出力された画素データが負極性の表示信号電圧になるようにＤ／Ａ変換する。換言すると、Ｄ／Ａ変換回路１２３は、極性反転信号ＰｏｌがハイレベルＶｐｈであるときは、液晶に印加される電圧が正極性となるようにＤ／Ａ変換し、極性反転信号ＰｏｌがローレベルＶｐｌであるときは、液晶に印加される電圧が負極性となるようにＤ／Ａ変換する。
【００３６】
表示信号電圧生成回路１２４は、図６に示すように、それぞれが、端子２５５（電圧Ｖγ）と端子２５６（接地電圧ＧＮＤ）との間の電圧を画素データのビット数ｐ（本実施の形態では８ビット）に応じた複数の抵抗で分圧する２組のラダー抵抗器３１，３２と、何れか一方のラダー抵抗器に切り換えるための複数のスイッチＳＹ０，ＳＹ１，・・・，ＳＹ２５５と、切り換えられたラダー抵抗器に対応するように、ラダー抵抗器へ印加する電圧の極性を切り換えるためのスイッチＳＹａ，ＳＹｂなどから構成される。そして、表示信号電圧生成回路１２４は、制御部１４から出力される極性反転信号Ｐｏｌに基づいて各スイッチＳＹ０，ＳＹ１，・・・，ＳＹ２５５によりラダー抵抗器を選択するとともに、ラダー抵抗器に印加する電圧の極性をスイッチＳＹａ，ＳＹｂにより切り換え、ラダー抵抗器によって分圧されたそれぞれの電圧をこれに対応する階調レベルの表示信号電圧として電圧印加ラインＶ０，Ｖ１，・・・，Ｖ２５５に印加する。つまり、表示信号電圧生成回路１２４は、電源回路２４により出力されるガンマ基準電圧Ｖγを複数に分圧して各階調レベルに対応した表示信号電圧を生成する。
【００３７】
具体的には、ラダー抵抗器３１は、制御部１４からの極性反転信号ＰｏｌがハイレベルＶｐｈのときに各スイッチＳＹ０，ＳＹ１，・・・，ＳＹ２５５により当該ラダー抵抗器３１が選択されるとともに、スイッチＳＹａ，ＳＹｂにより端子２５５ａ（電圧Ｖγ）と端子２５６ｂ（接地電圧ＧＮＤ）が選択されることで、端子２５５ａ（電圧Ｖγ）と端子２５６ｂ（接地電圧ＧＮＤ）の間の電圧を画素データのビット数（本実施の形態では８ビット）に応じた複数の抵抗ＲＡ１，ＲＡ２，・・・，ＲＡ２５５で分圧し、それぞれの電圧を、例えば液晶に印加される電圧が正極性になる表示信号電圧として電圧印加ラインＶ０，Ｖ１，・・・，Ｖ２５５に印加する。
【００３８】
また、ラダー抵抗器３２は、制御部１４からの極性反転信号ＰｏｌがローレベルＶｐｌのときに各スイッチＳＹ０，ＳＹ１，・・・，ＳＹ２５５により当該ラダー抵抗器３２が選択されるとともに、スイッチＳＹａ，ＳＹｂにより端子２５６ａ（接地電圧ＧＮＤ）と端子２５５ｂ（電圧Ｖγ）が選択されることで、端子２５６ａ（接地電圧ＧＮＤ）と端子２５５ｂ（電圧Ｖγ）の間の電圧を画素データのビット数（本実施の形態では８ビット）に応じた複数の抵抗ＲＢ１，ＲＢ２，・・・，ＲＢ２５５で分圧し、それぞれの電圧を、例えば液晶に印加される電圧が負極性になる表示信号電圧として電圧印加ラインＶ０，Ｖ１，・・・，Ｖ２５５に印加する。
【００３９】
各ＤＡＣ部１２５は、デコーダ部１２７と、各電圧印加ラインＶ０，Ｖ１，・・・，Ｖ２５５に接続される選択スイッチＳＷ０，ＳＷ１，・・・，ＳＷ２５５とを備えて構成されている。
【００４０】
デコーダ部１２７は、データラッチ部１２２から出力された画素データを入力してデコードし、階調レベル数（ビット数）に応じたデータ信号を出力するもので、図７（ａ）、図７（ｂ）に示すように、入力した画素データをデコードして保持する第一保持部１２８と、第一保持部１２８に保持された画素データの補数を導出する補数導出部１２９と、補数導出部１２９により導出された補数からなる補数データまたは第一保持部１２８に保持された画素データをそのままオリジナルデータとして保持する第二保持部１３０等を備えている。
【００４１】
そして、各選択スイッチＳＷ０、ＳＷ１、・・・、ＳＷ２５５は、第二保持部１３０に保持された最新のデータに基づいてデコーダ部１２７によりオン／オフ制御され、電圧印加ラインＶ０、Ｖ１、・・・、Ｖ２５５の何れか１本が選択される。このとき、選択された電圧印加ラインＶ０、Ｖ１、・・・、Ｖ２５５と電圧出力ラインＳＬとが導通されて、選択された電圧印加ラインＶ０、Ｖ１、・・・、Ｖ２５５に印加されている表示信号電圧が電圧出力ラインＳＬに印加される。そして、電圧出力ラインＳＬに印加された表示信号電圧は、出力アンプ回路１２６を介してデータ信号線Ｓ（ｉ）に供給される。つまり、デジタルのデータがアナログのデータに変換されてデータ信号線Ｓ（ｉ）に供給される。
【００４２】
以下、補数導出部１２９について詳述する。補数導出部１２９は、例えば画素データのビット数に対応した複数のスイッチＳｈ１〜Ｓｈ８と、それぞれのスイッチＳｈ１〜Ｓｈ８に対応し８ビットからなる画素データの対応する桁情報を０／１反転させるデータ反転部Ｓｒ１〜Ｓｒ８を備えている。そして、時分割制御信号Ｔｓに基づいて各スイッチＳｈ１〜Ｓｈ８が図７（ａ）に示すように切り換えられることで、第一サブ水平期間Ｈｔ１のときには、第二保持部１３０に第一保持部１２８に保持された画素データがそのままオリジナルデータとして保持される。また、時分割制御信号Ｔｓに基づいて各スイッチＳｈ１〜Ｓｈ８が図７（ｂ）に示すように切り換えられることで、第二サブ水平期間Ｈｔ２のときには、データ反転部Ｓｒ１〜Ｓｒ８により第一保持部１２８に保持された画素データの補数が導出され、これが補数データとして第二保持部１３０に保持される。
【００４３】
従って、各水平期間において、各データ信号線Ｓ（ｉ）には、図３に示すように、第一サブ水平期間Ｈｔ１に、オリジナルデータに対応した表示信号電圧が供給され、第二サブ水平期間Ｈｔ２に、オリジナルデータの補数である補数データに対応した表示信号電圧が供給される。ここで、走査ドライバ１１は、第一サブ水平期間Ｈｔ１に各走査信号線にゲートオン電圧を供給するので、各画素電極には、オリジナルデータに対応した表示信号電圧が書き込まれる。
【００４４】
即ち、本実施の形態では、１水平期間毎に、第一サブ水平期間Ｈｔ１のときに当該画素電極に書き込まれる表示信号電圧によって当該表示画素に対応するデータ信号線Ｓ（ｉ）を共用する他の画素電極に与える電位変動を、第二サブ水平期間Ｈｔ２に補数の関係にある階調レベルに対応する表示信号電圧をデータ信号線Ｓ（ｉ）へ供給することにより時間平均的にキャンセルしている。これにより、画素電極間で発生する電位変動の差を見かけ上抑制することができ、データ信号線に沿った方向のクロストークが視認されにくくなる。そして、制御部１４が、第一サブ水平期間Ｈｔ１と第二サブ水平期間Ｈｔ２とが等しい長さの時間となるように時分割制御信号Ｔｓによって１水平期間を時分割すれば、この時間平均的なキャンセル度合いが高まりより好ましい。
【００４５】
また、本実施の形態では、オリジナルデータに対応する表示信号電圧の他に追加すべき表示信号電圧は、図７（ａ）、図７（ｂ）に示したような補数導出部１２９をデコーダ部１２７に追加すれば生成できるので、クロストークが視認されにくくするように映像データを補正するための演算負荷が増大してしまうことを防止できる。
【００４６】
なお、上述の実施の形態では、走査ドライバが第一サブ水平期間に各走査信号線へゲートオン電圧を供給し、信号ドライバが第一サブ水平期間にオリジナルデータに対応する表示信号電圧を供給するとともに、第二サブ水平期間にオリジナルデータの補数と完全に一致した階調レベルに対応する表示信号電圧を供給する場合について説明したが、第二サブ水平期間に供給する表示信号電圧は、必ずしもオリジナルデータの補数と完全一致の表示信号電圧とする必要はなく、第二サブ水平期間に供給する表示信号電圧を、少なくとも、オリジナルデータよりもオリジナルデータの補数に近い側の階調レベルに対応する表示信号電圧とすれば、少なくとも第一サブ水平期間と第二サブ水平期間との両方にオリジナルデータに対応する表示信号電圧を供給する場合よりもクロストークを視認しにくくすることが可能になる。
【００４７】
また、上述の実施の形態では、走査ドライバが第一サブ水平期間に各走査信号線へゲートオン電圧を供給し、信号ドライバが第一サブ水平期間にオリジナルデータに対応する表示信号電圧を供給するとともに、第二サブ水平期間に補数データに対応する表示信号電圧を供給する場合について説明したが、図８に示すように、走査ドライバが第二サブ水平期間に各走査信号線へゲートオン電圧を供給し、信号ドライバが第一サブ水平期間に補数データに対応する表示信号電圧を供給するとともに、第二サブ水平期間にオリジナルデータに対応する表示信号電圧を供給する構成としてもよい。
【００４８】
また、上述の実施の形態では、デコーダ部で補数データを導出する場合について説明したが、制御部１４が補数データを生成し、時分割制御信号に同期させて、オリジナルデータとこれに対応する補数データとを交互に信号ドライバに供給する構成としてもよい。このとき、信号ドライバは、制御部１４から供給されてくるオリジナルデータに対応する表示信号電圧及び補数データに対応する表示信号電圧を順次データ信号線に供給する構成とすればよい。
【００４９】
また、上述の実施形態では、走査ドライバが走査信号線へゲートオン電圧を供給するサブ水平期間に信号ドライバがオリジナルデータに対応する表示信号電圧をデータ信号線へ供給し、走査ドライバが走査信号線へゲートオフ電圧を供給するサブ水平期間に信号ドライバが補数データに対応する表示信号電圧をデータ信号線へ供給する場合について説明したが、図９に示すように、走査ドライバが走査信号線へゲートオフ電圧を供給するサブ水平期間において、オリジナルデータにはかかわらず、液晶に印加する電圧の極性が正極性になるフレームでは信号ドライバが最大階調レベルに対応する表示信号電圧（例えばガンマ基準電圧）を供給し、液晶に印加する電圧の極性が負極性になるフレームでは信号ドライバが最小階調レベルに対応する表示信号電圧（例えばＧＮＤ）を供給する構成としてもよい。また、図１０に示すように、走査ドライバが走査信号線へゲートオフ電圧を供給するサブ水平期間において、オリジナルデータにはかかわらず、液晶に印加する電圧の極性が正極性になるフレームでは信号ドライバが最小階調レベルに対応する表示信号電圧（例えばＧＮＤ）を供給し、液晶に印加する電圧の極性が負極性になるフレームでは信号ドライバが最大階調レベルに対応する表示信号電圧（例えばガンマ基準電圧）を供給する構成としてもよい。液晶に印加する電圧の極性が正極性になるフレームでの画素電極間に発生する電位変動と液晶に印加する電圧の極性が負極性になるフレームでの電位変動とを時間平均的にキャンセルすることができる。これにより、画素電極間で発生する電位変動の差を見かけ上抑制することができ、データ信号線に沿った方向のクロストークが視認されにくくなる。そして、この場合には、補数を導出する必要がなくなるので、回路規模を小さくすることができ都合がよい。
【００５０】
上述した実施の形態は、本発明の一例に過ぎず、各機能ブロックの具体的な構成は本発明の作用効果を奏する範囲において適宜変更設計できることはいうまでもない。
【図面の簡単な説明】
【００５１】
【図１】表示装置の説明図
【図２】表示画素の等価回路の説明図
【図３】表示装置の動作を説明するためのタイミングチャート
【図４】信号ドライバの機能ブロック構成図
【図５】階調レベルとその補数との関係の説明図
【図６】表示信号電圧生成回路の構成図
【図７】補数導出部の説明図
【図８】別実施形態における表示装置の動作を説明するためのタイミングチャート
【図９】別実施形態における表示装置の動作を説明するためのタイミングチャート
【図１０】別実施形態における表示装置の動作を説明するためのタイミングチャート
【図１１】フレーム反転駆動の説明図
【図１２】クロストークの説明図であり、（ａ）は表示すべき映像、（ｂ）は表示すべき映像と発生すクロストークとの関係
【符号の説明】
【００５２】
１：表示装置
１０：表示パネル
１１：走査ドライバ
１２：信号ドライバ
１３：共通電極駆動回路
１４：制御部
１５：電源調整回路
２０：映像メモリ
１２３：Ｄ／Ａ変換回路
１２４：表示信号電圧生成回路
１２７：デコーダ部
１２９：補数導出部
Ｈｔ１：第一サブ水平期間
Ｈｔ２：第二サブ水平期間
【図１】
2009271267.tif 000003
【図２】
2009271267.tif 000004
【図３】
2009271267.tif 000005
【図４】
2009271267.tif 000006
【図５】
2009271267.tif 000007
【図６】
2009271267.tif 000008
【図７】
2009271267.tif 000009
【図８】
2009271267.tif 000010
【図９】
2009271267.tif 000011
【図１０】
2009271267.tif 000012
【図１１】
2009271267.tif 000013
【図１２】
2009271267.tif 000014